(57)【特許請求の範囲】
【請求項１】
マツノザイセンチュウを媒介する穿孔性害虫が生息する樹木を、光透過性の素材で形成されてなる集光口及び遮光性シート部を有する、集光口付き被覆シートで覆い、該シートの集光口下又はその周辺に天敵糸状菌の培養物を設置することを特徴とする穿孔性害虫の防除方法。
【請求項２】
マツノザイセンチュウを媒介する穿孔性害虫が生息する樹木を、網目状シートで形成されてなる集光口及び遮光性シート部を有する、集光口付き被覆シートで覆い、該シートの集光口下又はその周辺に天敵糸状菌の培養物を設置することを特徴とする穿孔性害虫の防除方法。
【請求項３】
マツノザイセンチュウを媒介する穿孔性害虫が生息する樹木を、
集光口及び遮光性シート部を有する集光口付き被覆シートであって、
該集光口の部材が該遮光性シート部から着脱可能であることを特徴とする被覆シート
で覆い、該シートの集光口下又はその周辺に天敵糸状菌の培養物を設置することを特徴とする穿孔性害虫の防除方法。
【請求項４】
天敵糸状菌が、ボーベリア・ブロンニアティ（Ｂｅａｕｖｅｒｉａ  ｂｒｏｎｇｎｉａｒｔｉｉ）、ボーベリア・バッシアナ（Ｂｅａｕｖｅｒｉａ  ｂａｓｓｉａｎａ）、ボーベリア・アモルファ（Ｂｅａｕｖｅｒｉａ  ａｍｒｐｈａ）及びメタリジウム・アニソブリェ（Ｍｅｔａｒｈｉｚｉｕｍ  ａｎｉｓｏｐｌｉａｅ）からなる群より選ばれた少なくとも１種の糸状菌である、請求項１〜３のいずれか１項に記載の方法。
【発明の詳細な説明】
【技術分野】
【０００１】
本発明は集光口付き被覆シートを使用した穿孔性害虫の防除方法に関する。さらに詳しくは、防除対象となる穿孔性害虫の習性を利用し、人畜をはじめとする他の生物への影響が少ない、簡便かつ効果的な穿孔性害虫の防除方法に関する。
【背景技術】
【０００２】
現在、青森と北海道を除く全国に広まっている「マツ」の伝染病で、大きな被害をもたらす松くい虫被害は、「マツノザイセンチュウ」という体長１ｍｍにも満たない線虫がマツの樹体内に入ることで引き起こされるが、その線虫をマツからマツへ運ぶのがマツノマダラカミキリ等の穿孔性害虫である。一般にその被害の蔓延を防止するために、運び屋である穿孔性害虫を防除する方法が採られている。
【０００３】
従来、穿孔性害虫を対象とした松くい虫防除法としては、先ず、穿孔性害虫の成虫を健全なマツに寄せ付けないようにヘリコプターや地上からの噴霧器により化学農薬を予防散布することで、被害のまん延を防止する方法がある。しかし、この予防散布は薬剤が周囲の河川や集落にも及ぶおそれがあり、また、根本的な穿孔性害虫の駆除の効果は期待できない。それゆえ近年は、化学農薬の使用量は減少し、物理的防除や生物的防除を組合せた総合的害虫管理が行われるようになってきている。特に生物的防除方法としてボーベリア・バッシアナ（Ｂｅａｕｖｅｒｉａ ｂａｓｓｉａｎａ）、メタリジウム・アニソブリェ（Ｍｅｔａｒｈｉｚｉｕｍ ａｎｉｓｏｐ１ｉａｅ）等の天敵糸状菌に穿孔性害虫を感染させて駆除するという試みが、穿孔性害虫の防除でも提唱されるようになった。
【０００４】
また、穿孔性害虫の駆除方法としては、被害を受けたマツ材を伐倒し、穿孔性害虫がまだ幼虫で、マツ材内にいる冬の間に駆除する方法がある。この駆除方法としては、マツ材をそのまま焼却する方法が採られてきたが、近年、焼却によるダイオキシン発生の問題から、この方法は行われないようになった。一般的な駆除方法としても、伐倒されたマツ材に対し、薬剤散布が行われている。しかし、薬剤の散布班によって効果にバラツキが見られることがあり、念入りに散布しすぎると環境への負荷がかかりすぎるようになる。
【０００５】
別の駆除方法として、松くい虫被害により枯死した木を伐倒したあと集積し、ビニールシートで包んで燻蒸剤で燻蒸する方法が多く取られるようになってきた。しかし、ビニールシートに少しでも隙間が開くと燻蒸剤が漏れ、効果に影響を及ぼす。海岸沿いの砂地では砂からも燻蒸剤が漏洩するため、集積材の底もきれいにシートで包む必要があり、燻蒸剤処理におけるビニールシートの被覆は完璧性が要求され、多大な労力を要するものであった。また、一度薬剤が付着したビニールシートは再使用されないため、処理後生分解するようなシートの使用まで検討されるようになった。
【０００６】
一方、穿孔性害虫の駆除方法として、（Ｂｅａｕｖｅｒｉａ ｂｒｏｎｇｎｉａｒｔｉｉ）や、ボーベリア・バッシアナ（Ｂｅａｕｖｅｒｉａ ｂａｓｓｉａｎａ）、ボーベリア・アモルファ（Ｂｅａｕｖｅｒｉａ ａｍｒｐｈａ）、メタリジウム・アニソブリェ（Ｍｅｔａｒｈｉｚｉｕｍ ａｎｉｓｏｐ１ｉａｅ）等の天敵糸状菌を、培地成分を含有させた担体で培養して、この担体を羽化脱出したカミキリムシ成虫の生息域内の通り道等に設置して成虫を駆除する方法（特許文献１および２を参照のこと）が開示されている。この方法はキボシカミキリ成虫が桑の樹上で交尾し、その雌成虫は産卵のために桑の株元へ下りてくるという習性を利用したもので、天敵糸状菌を培養した発泡体マトリックス等である害虫駆除用具を桑の木の株元に設置しておくことにより、有効性を高め且つ有効期問を延長し、更には少量の設置で効率よく感染させることを目的とした方法である。
【０００７】
しかしながら、この方法によれば害虫が害虫駆除用具に直接接触するか、或いはこの害虫躯除用具に近づいた時のみ有効であって、マツノマダラカミキリの様な害虫に対しては、ほとんどその天敵糸状菌剤の感染域外にいることが多く有効な手段ではなかった。そこで、羽化脱出してくる成虫に天敵糸状菌の培養物が接触するよう、樹木の全部又は一部をシートで覆い、シート内部に天敵糸状菌の培養物を設置する方法（特許文献３を参照のこと）が開示されている。しかし、ここで使用されるシートは、天敵糸状菌剤の効果を高め、さらに、効果をより長く持続させるべく、糸状菌剤との接触確率を高め、さらには、糸状菌剤を風雨から守る目的で使用されたため、そのシート自身の成虫駆除への効果は目的とされていなかった。そのため、シート外に脱出したカミキリムシ成虫のほとんどが２週間以内に致死するものの、糸状菌との接触を免れた数％の成虫は被害を継続する可能性があった。
【０００８】
上記実状に鑑み、簡便且つ確実に穿孔性害虫の駆除方法の創出が望まれていた。
【０００９】
【特許文献１】特開昭６３−１９０８０７号公報
【特許文献２】特開昭６３−２５８８０３号公報
【特許文献３】特開２０００−２３９１１５号公報
【発明の開示】
【発明が解決しようとする課題】
【００１０】
本発明は、穿孔性害虫に対して有効であり、人畜等の他の生物に害を与えない、簡便かつ確実な穿孔性害虫の防除方法を提供することを目的とする。さらに本発明は、人畜等の他の生物に害を与えない、簡便かつ確実な樹木枯損の拡大を防止する方法を提供することを目的とする。
【課題を解決するための手段】
【００１１】
すなわち、本発明の要旨は、
〔１〕
マツノザイセンチュウを媒介する穿孔性害虫が生息する樹木を、光透過性の素材で形成されてなる集光口及び遮光性シート部を有する、集光口付き被覆シートで覆い、該シートの集光口下又はその周辺に天敵糸状菌の培養物を設置することを特徴とする穿孔性害虫の防除方法。
〔２〕
マツノザイセンチュウを媒介する穿孔性害虫が生息する樹木を、網目状シートで形成されてなる集光口及び遮光性シート部を有する、集光口付き被覆シートで覆い、該シートの集光口下又はその周辺に天敵糸状菌の培養物を設置することを特徴とする穿孔性害虫の防除方法。
〔３〕
マツノザイセンチュウを媒介する穿孔性害虫が生息する樹木を、
集光口及び遮光性シート部を有する集光口付き被覆シートであって、
該集光口の部材が該遮光性シート部から着脱可能であることを特徴とする被覆シート
で覆い、該シートの集光口下又はその周辺に天敵糸状菌の培養物を設置することを特徴とする穿孔性害虫の防除方法。
〔４〕 
天敵糸状菌が、ボーベリア・ブロンニアティ（Ｂｅａｕｖｅｒｉａ  ｂｒｏｎｇｎｉａｒｔｉｉ）、ボーベリア・バッシアナ（Ｂｅａｕｖｅｒｉａ  ｂａｓｓｉａｎａ）、ボーベリア・アモルファ（Ｂｅａｕｖｅｒｉａ  ａｍｒｐｈａ）及びメタリジウム・アニソブリェ（Ｍｅｔａｒｈｉｚｉｕｍ  ａｎｉｓｏｐｌｉａｅ）からなる群より選ばれた少なくとも１種の糸状菌である、〔１〕〜〔３〕のいずれかに記載の方法。
【発明の効果】
【００１２】
本発明の穿孔性害虫の防除方法によれば、樹木からの羽化脱出後に飛翔するマツノマダラカミキリ成虫をターゲットとするのではなく、羽化脱出直後の成虫を天敵糸状菌の培養物に接触させて駆除するため、接触確率が高く、また、雌成虫は産卵する前に致死させることができるという優れた効果を奏する。従って、次世代のカミキリの発生を防ぎ、一層効果的な防除が可能となると共に樹木の枯損の拡大を防止することができる。
【発明を実施するための最良の形態】
【００１３】
本発明の穿孔性害虫の防除方法は、本発明のマツノザイセンチュウを媒介する穿孔性害虫が生息する樹木を、集光口及び遮光性シート部を有する集光口付き被覆シートで覆い、該シートの集光口下又はその周辺に天敵糸状菌の培養物を設置することを１つの大きな特徴とする。
【００１４】
本発明の防除方法によれば、天敵糸状菌培養物を用いるため、マツ枯損を引き起こす原因となるマツノザイセンチュウを媒介する穿孔性害虫に対して特異的に防除効果を得ることができるという優れた効果を発揮する。また、穿孔性害虫が生息する樹木を集光口及び遮光性シート部を有する集光口付き被覆シートで覆い、集光口下又はその周辺に天敵糸状菌の培養物を設置するため、昆虫の集光性により穿孔性害虫を集光口近傍に誘引し、天敵糸状菌の培養物に効率よく接触させ、感染・死滅させることができるという優れた効果を発揮する。
【００１５】
マツノザイセンチュウを媒介する穿孔性害虫としては、成虫がマツ樹主幹だけでなく枝部にまで広域に羽化脱出するという生態を示す穿孔性害虫が挙げられ、具体的には、マツノマダラカミキリ（Ｍｏｎｏｃｈａｍｕｓ  ａｔｔｅｒｎａｔｕｓ  ＨＯＰＥ）、カラフトヒゲナガカミキリ（Ｍｏｎｏｃｈａｍｕｓ  ｓａｌｔｕａｒｉｕｓ  ＧＥＢＬＥＲ）、ヒゲナガカミキリ（Ｍ．  ｇｒａｎｄｉｓ  ＷＡＴＥＲＨＯＵＳＥ）が挙げられる。
【００１６】
マツノマダラカミキリ等の穿孔性害虫が被害を及ぼす対象である樹木としては、マツ科植物が挙げられる。また、樹木としては、枯損木等が挙げられ、具体的には、立木の状態の被害木、伐倒した被害木等が挙げられる。防除効果を十分に発揮させる観点から、伐倒した被害木を集めて本発明の防除方法により処理することが好ましい。
【００１７】
本発明の防除方法に使用する集光口付き被覆シートは、集光口及び遮光性シート部を有する。
【００１８】
集光口付き被覆シートの集光口は、集光性により穿孔性害虫を効率的に誘引する観点から、光透過性の素材、例えば、透明又は半透明のシートで形成されてなることが好ましい。かかる素材の具体例としては、特に限定されず、市販されているものが使用できるが、強度の観点からシートの厚さは、０．１ｍｍ以上、好ましくは０．２ｍｍ以上の厚さのシート等が好ましい。
【００１９】
集光口付き被覆シートの集光口はまた、網目状シートで形成されてなることも好ましい。網目状シートとしては、穿孔性害虫がすり抜けられない網目サイズを有するものであれば特に限定されず、市販されているものが使用できるが、天敵糸状菌の培養物の有効期間を延ばす観点から、雨水が直接かからない網目が細かい素材等が好ましい。また、網目状シートは、穿孔性害虫が噛み破ることが困難な強度を有することが好ましく、穿孔性害虫が噛み破ることができない強度を有することがさらに好ましい。
【００２０】
集光口の形状、大きさ及び数は、特に限定されるものではないが、穿孔性害虫を集光性により効率的に誘引する観点から、大きさは縦１００ｃｍ×横１８０ｃｍ以内が好ましく、数は１又は２が好ましい。
【００２１】
集光口付き被覆シートにおける集光口の位置としては、特に限定されないが、天敵糸状菌の培養物の設置の容易さおよび製造コストの観点から、中央部よりも縦方向の端の方が好ましい。
【００２２】
集光口付き被覆シートの遮光性シート部は、穿孔性害虫が集光口に誘導され易いように遮光性の素材で形成される。かかる素材としては、樹木から羽化脱出してくるマツノマダラカミキリ成虫が、そのシート外に出ることが困難なシートであればいずれでも良く、有色のポリエチレンシートやビニールシート等が好ましい。遮光性シート部の厚さは０．１ｍｍ以上、好ましくは０．２ｍｍ以上が好ましい。被覆シートの具体例としては、市販されているブルー等の色つきポリエチレンシート０．２６ｍｍ（３．６ｍ×５．４ｍ当り３ｋｇ）等が挙げられる。
【００２３】
前記シートの大きさは、前記樹木の全部又はその一部を覆うに適した大きさであればよい。
【００２４】
集光口付き被覆シートは、前記遮光性シート部と集光口の部材を組み合わせることにより作製することができる。具体的には、例えば、遮光性シートの片側を集光口の大きさ分切り取り、そこに集光口の部材を取り付けることにより作製することができる。
【００２５】
また、集光口の部材は、劣化したときに交換可能であるように、及びかかるシートにより樹木を覆った後、敵糸状菌の培養物を集光口下又はその周辺に設置することが容易になるように、かかるシートから着脱可能であることも好ましい。この態様では、例えば、集光口の部材を面ファスナー、ホック、ピン、ファスナー等により遮光性シート部に固定することにより集光口の部材が着脱可能な集光口付き被覆シートを作製することができる。
【００２６】
本発明の防除方法で使用する天敵糸状菌の培養物は、例えば、適切な培養基材を用い、適切な培地成分の存在下に、天敵糸状菌の培養に適した条件下で培養することにより得られうる。
【００２７】
前記天敵糸状菌としては、ボーベリア・ブロンニアティ（Ｂｅａｕｖｅｒｉａ ｂｒｏｎｇｎｉａｒｔｉｉ）、ボーベリア・バッシアナ（Ｂｅａｕｖｅｒｉａ ｂａｓｓｉａｎａ）、ボーベリア・アモルファ（Ｂｅａｕｖｅｒｉａ ａｍｒｐｈａ）、メタリジウム・アニソブリェ（Ｍｅｔａｒｈｉｚｉｕｍ ａｎｉｓｏｐ１ｉａｅ）等の糸状菌が挙げられ、なかでも、感染力の強さの観点から、特にボーベリア・ブロンニアティ（Ｂｅａｕｖｅｒｉａ ｂｒｏｎｇｎｉａｒｔｉｉ）及びボーベリア・バッシアナ（Ｂｅａｕｖｅｒｉａ ｂａｓｓｉａｎａ）が望ましい。
【００２８】
天敵糸状菌の培養物において、天敵糸状菌の濃度は、例えば、パルプ不織布を用いる場合、１０７ＣＦＵ／ｃｍ２（培養基材表面）以上であることが好ましく、１０８ＣＦＵ／ｃｍ２（培養基材表面）以上であることがより好ましい。
【００２９】
前記培養基材としては、天敵糸状菌を培養できるものであればよく、フスマ、ピートモス、或いは発泡体マトリックス、不織布、織布等の基材に培地成分を含有させた培養基材が例示でき、より好ましくは発泡体マトリックス、不織布、織布等の基材に培地成分を含有させた培養基材が望ましい。
【００３０】
前記発泡体マトリックスとしては、例えば特開昭６３−７４４７９号公報、特開昭６３−１９０８０７号公報で開示されたポリウレタンフォーム、ポリスチレン発泡体、塩化ビニル発泡体、ポリエチレン発泡体、ポリスチレン発泡体等が挙げられる。かかる発泡体マトリックスを基材として用いる場合、そのまま用いてもよく、前記発泡体を生成しうる発泡体組成物を培地成分とともに発泡させて得られる物質を用いてもよい。
【００３１】
前記培養基材として用いる織布又は不織布の素材としては特に限定されず、市販されているものが使用できるが、培地成分の含有性や保水性・親水性、天敵糸状菌の付着性、炭素源としての利用や天然崩壊性等の観点から、パルプ、レーヨン、ポリエステル等を素材とする織布や不織布が特に好ましい。
【００３２】
前記培養基材の形状は、樹木に簡便且つ確実に設置でき、しかも防除効果の有効性を長期間持続させることができるので少数配置するだけで効率よくマツノマダラカミキリ等の穿孔性害虫を天敵糸状菌に感染させることができる観点から、バンド状又はシート状に形成された基材が望ましい。
【００３３】
前記バンド状又はシート状の培養基材としては、例えば、特開昭６３−７４４７９号公報、特開昭６３−１９０８０７号公報で開示された発泡体マトリックス、或いは不織布、織布等の多孔性で見かけの表面積が大きい素材、及びこれらを組合せた素材を有するものが挙げられる。
【００３４】
前記培地成分としては、特に限定されないが、例えば、同化が可能な炭素源や窒素源、無機塩類、天然有機物等を含んだもの等が挙げられる。前記炭素源としては、特に限定されないが、例えば、グルコース、サッカロース、ラクトース、マルトース、グリセリン、デンプン、セルロース糖蜜等が挙げられる。前記窒素源としては、特に限定されないが、例えば、硫酸アンモニウム、塩化アンモニウム、硝酸アンモニウム等が挙げられる。前記無機塩類としては、特に限定されないが、例えば、リン酸二水素カリウム等のリン酸塩、硝酸マグネシウム、マグネシウム、カリウム、カルシウム等が挙げられる。前記天然有機物としては、特に限定されないが、例えば、肉エキス、魚肉摘出液、サナギ粉等の動物組織抽出物や動物組織粉砕物、麦芽エキス、コーンスチープリカー、大豆油等の檀物組織抽出物、乾燥酵母、酵母エキス、ポリペプトン等の微生物菌体又はその抽出物等が挙げられる。
【００３５】
培養基材において天敵糸状菌を培養する方法としては、培養担体に培地成分を含有させた後に菌を接種し培養する方法、予め天敵糸状菌を前培養して得られた培養液と培地成分とを混合し、得られた混合物を培養担体に含有させる方法等が挙げられる。
【００３６】
天敵糸状菌の培養物は、集光性により集光口付き被覆シートの集光口に誘引した穿孔性害虫を天敵糸状菌に効率的に接触感染させる観点から、集光口下又はその周辺に配置される。ここで「集光口下又はその周辺」とは、集光口の真下の樹木上の領域若しくはその周辺の領域、又は集光口の部材の下面若しくはその周辺の遮光性シートの下面を意味する。樹木上に天敵糸状菌の培養物を設置すればその菌糸が木部内部に浸透し、幼虫に対しても致死効果を示すため、穿孔性害虫が天敵糸状菌培養物と接触する確率が極めて高くなるので特に好ましい。
【００３７】
本発明の防除方法では、集光口付き被覆シートで樹木の全面を覆うが、底面は地面に覆われているため、砂地であっても覆う必要はない。かかるシートで樹木を覆い尽くし、端はシートが飛ばないように、倒木や石、土砂で重石にするだけで十分である。集光口下又はその周辺に天敵糸状菌の培養物を設置することで樹木から羽化脱出した穿孔性害虫の成虫のほとんどは、シート内部を徘徊するうちに集光口に集まり天敵糸状菌に接触感染し、死に至る。集光口の部材は穿孔性害虫が噛み破ることができない強度を有することが好ましいが、例え、天敵糸状菌に感染した穿孔性害虫が集光口の部材を噛み破る等の理由によりシートから脱出したとしても２週間以内に死に至る。穿孔性害虫は、羽化後２週間は後食期間、すなわち、交尾・産卵のための準備期間であり、その間に致死させれば、次世代の発生を途絶えさせることができる。また、穿孔性害虫からのマツノザイセンチュウの離脱は、羽化後２週間までは非常に少ないとされているため、本発明の防除方法は極めて効果的である。
【００３８】
本発明の穿孔性害虫の防除方法において、天敵糸状菌の培養物の設置時期は、成虫が羽化脱出する前、例えば、西日本では４月まで、東日本でも６月初旬までであることが好ましく、冬期は低温のため糸状菌の培養物の有効性は保持されるため、前年の１１月に設置しても、翌年の羽化全期間に亘って十分効果が示される。
【００３９】
本発明においては、マツノザイセンチュウを媒介する穿孔性害虫が生息する樹木を、集光口及び遮光性シート部を有する集光口付き被覆シートで覆い、該シートの集光口下又はその周辺に天敵糸状菌の培養物を設置し、該穿孔性害虫を天敵糸状菌に感染させ、死滅させることができるので、これにより効率よくマツノザイセンチュウによるマツ枯損の拡大を防止することができる。
【００４０】
以下、本発明を実施例に基づいてさらに詳細に説明するが、本発明はかかる実施例のみに限定されるものではない。
【実施例】
【００４１】
シート状の天敵糸状菌剤の作製
パルプ不織布（５０ｃｍ×５ｃｍ×０．５ｃｍ）を培養基材として用い、これを液体培地（組成：２重量％グルコース、４重量％コーンスチープリカー、残部水）に含浸させ、ボーベリア・バッシアナを接種し、培養物（シート状の天敵糸状菌剤）を得た。天敵糸状菌剤における細胞濃度は２×１０８ＣＦＵ／ｃｍ２（培養基材表面）であった。
【００４２】
集光口付き被覆シートの作製
遮光性シートとして藤森工業（株）のＵＶシート（縦３００ｃｍ、横１８００ｃｍ、厚さ０．４ｍｍ）を使用し、集光口として試験例１ではクラレプラスチックス（株）製の糸入り透明シート（縦４０ｃｍ、横１２０ｃｍ、厚さ０．３ｍｍ、型番Ｅ−３５００）を、試験例２ではＮＢＣ（株）製のネット（縦４０ｃｍ、横１２０ｃｍ、厚さ０．６４ｍｍ、型番ＥＴ６２４３）を使用した。遮光性シートの片側を集光口の大きさ分切り取り、そこに集光口のシートを取り付け、集光口付き被覆シートを作製した。なお、集光口の部材を着脱可能にするために集光口のシートを面ファスナーにより遮光性シートに取り付けた。
【００４３】
実施例１
マツノマダラカミキリが生息する松くい虫被害を受けたアカマツの供試材０．２ｍ３（縦２００ｃｍ、横８０ｃｍ、３段積み）の縦方向の片側の上面に前記シート状の天敵糸状菌剤を１枚設置した。次いで、図１のように集光口が天敵糸状菌剤の上面を覆うようにして前記集光口付き被覆シートで供試材を全面被覆した。
【００４４】
比較例１
実施例１と同様の供試材の中央部上面に、図２に示すように前記シート状の天敵糸状菌剤を２枚設置し、市販のブルーシート（藤森工業（株）製、商品名ハイピーシート、縦３０００ｃｍ、横１８３０ｃｍ、厚さ０．２６ｍｍ、規格ＰＬＰ−４０１０４０Ｂ−２）で全面被覆した。
【００４５】
試験例１
実施例１及び比較例１を各々野外に１ヶ月半放置し、シート外に脱出したマツノマダラカミキリを採集した。採集した個体を実験室内で個別飼育し、死亡状況を調査した。結果を表１に示す。表中の１４日以内死亡率は、「シート外へ羽化脱出したマツノマダラカミキリの総数」に対する「マツノマダラカミキリの１４日以内の死亡数」の割合（％）を示す。また、破損数はマツノマダラカミキリが被覆シートを噛み破った個数を、破損位置はマツノマダラカミキリが被覆シートを噛み破った位置を示す。
【００４６】
【表１】
0004521559.tif 000002
【００４７】
表１の結果より、集光口付き被覆シートを用いた実施例１は天敵糸状菌剤の枚数が少なくても、ブルーシートを用いた比較例１よりも多くのマツノマダラカミキリを死亡させることができることがわかる。また、被覆シートの破損状況や観察において、マツノマダラカミキリが集光口に集まることが確認された。
【００４８】
以上の結果より、本発明の穿孔性害虫の防除方法は、現在、一般に使用されている被覆シートを用いた防除方法よりも、マツノマダラカミキリを効率的に天敵糸状菌剤に接触させ、死亡させることができることがわかる。
【００４９】
試験例２
被覆シートによる温度上昇等が天敵糸状菌剤に与える影響を調査した。実施例１及び比較例１を、天敵糸状菌剤にとって過酷な条件である夏期（７月下旬から８月下旬）に野外でそれぞれ１ヶ月間放置した。１ヶ月後に被覆シート内から取り出した各々の天敵糸状菌剤にマツノマダラカミキリを２０秒間接触させた後、個別飼育した。飼育個体の１４日以内の死亡率及び菌叢生率を調査した。
【００５０】
結果を表２に示す。表中の１４日以内死亡率は、天敵糸状菌剤と接触後の「マツノマダラカミキリの１４日以内の死亡数」の割合（％）を示す。菌叢生率は、マツノマダラカミキリの死亡時の菌の叢生の割合（％）を示す。
【００５１】
【表２】
0004521559.tif 000003
【００５２】
表２の結果より、温度等が上昇する過酷な条件化である夏期においても、集光口付き被覆シート内の天敵糸状菌剤は、マツノマダラカミキリの死亡率及び菌の叢生率が高いことが確認された。菌の叢生率は、死亡時における叢生を確認しているため過小評価であると考えられる。集光口に通気がよい素材を利用しているため菌の状態を良好に保っていると考えられる。
【００５３】
以上の結果から、本発明の集光口付き被覆シートは、現在一般に使用されている被覆シートを用いた防除方法よりも天敵糸状菌剤を良好に保ち、有効期間を延ばすことができると考えられる。
【産業上の利用可能性】
【００５４】
本発明の集光口付き被覆シートを使用したマツノマダラカミキリの防除方法によれば、例えば、環境や人体等に実質的に影響を与えずに、マツの枯損又は該枯損の拡大の防止を行なうことが可能になる。また、現在、一般に用いられている防除方法よりも天敵糸状菌の培養物の設置数を削減することができ、網目状シートで形成された集光口を有する被覆シートを用いた場合には天敵糸状菌の培養物の有効期間を延長でき、温暖な地域でも使用可能であるために、より多くの被害材の処理が可能になる。
【図面の簡単な説明】
【００５５】
【図１】図１は、実施例１のマツノマダラカミキリの防除方法における、供試木への天敵糸状菌剤の設置の概略の斜視図（左）及び被覆前の集光口付き被覆シート概略図（右）である。
【図２】図２は、比較例１の防除方法における供試木への天敵糸状菌剤の設置の概略の斜視図（左）及び被覆前のブルーシートの概略図（右）である。
【符号の説明】
【００５６】
１  供試木
２  天敵糸状菌剤
３  集光口付き被覆シート
４  集光口
５  ブルーシート
【図１】
0004521559.tif 000004
【図２】
0004521559.tif 000005